【手続補正書】
【提出日】平成27年1月14日(2015.1.14)
【手続補正１】
【補正対象書類名】特許請求の範囲
【補正対象項目名】全文
【補正方法】変更
【補正の内容】
【特許請求の範囲】
【請求項１】
所定条件の成立に基づいて有利な有利状態に制御可能である遊技機であって、
有利状態に制御するか否かを決定する決定手段と、
前記決定手段による決定に基づいて、有利状態に制御される可能性を報知する所定演出に対応する複数の選択肢を提示する提示手段と、
前記提示手段による複数の選択肢の提示後に、複数の選択肢を変動表示し、実行される所定演出に対応する選択肢を選択位置に停止表示させることにより、一の選択肢を選択する選択手段と
を備え、
前記提示手段により有利状態に制御される可能性が高いことを報知する所定演出に対応する選択肢が選択位置に提示されたときには、前記選択手段により有利状態に制御される可能性が特定の基準よりも高いことを報知する所定演出に対応する選択肢が選択位置に停止表示されることを特徴とする遊技機。
【請求項２】
所定条件の成立に基づいて有利な有利状態に制御可能である遊技機であって、
有利状態に制御するか否かを決定する決定手段と、
前記決定手段による決定に基づいて、有利状態に制御される可能性を報知する所定演出に対応する複数の選択肢を提示する提示手段と、
前記提示手段による複数の選択肢の提示後に、選択表示を移動表示し、実行される所定演出に対応する選択肢の位置に選択表示を停止表示させることにより、一の選択肢を選択する選択手段と
を備え、
有利状態に制御される可能性が高いことを報知する所定演出に対応する選択肢の位置から選択表示の移動表示が開始されたときには、有利状態に制御される可能性が特定の基準よりも高いことを報知する所定演出に対応する選択肢の位置に選択表示が停止表示されることを特徴とする遊技機。
【手続補正２】
【補正対象書類名】明細書
【補正対象項目名】０００３
【補正方法】変更
【補正の内容】
【０００３】
複数の選択肢の中から一の選択肢を選択する遊技機が提案されている（例えば、特許文献１）。特許文献１の技術では、選択枠（カーソル）を夫々の選択肢の表示領域において移動表示させた後に停止表示させることによって、停止表示された選択枠によって示される選択肢を選択するようにしている。
【手続補正３】
【補正対象書類名】明細書
【補正対象項目名】０００５
【補正方法】変更
【補正の内容】
【０００５】
しかしながら、特許文献１の技術では、移動表示前の選択枠によって示される選択肢が期待度の高い演出に対応する選択肢であったにもかかわらず、移動表示後に停止表示された選択枠によって示される選択肢が期待度の低い演出に対応する選択肢となるような場合、遊技者を落胆させたり遊技者の期待感を減退させたりしてしまい、遊技者の期待感を持続させることができないという問題がある。
【手続補正４】
【補正対象書類名】明細書
【補正対象項目名】０００６
【補正方法】変更
【補正の内容】
【０００６】
本発明は、上記実情に鑑みなされたものであり、遊技者の期待感を持続させる遊技機を提供することを目的とする。
【手続補正５】
【補正対象書類名】明細書
【補正対象項目名】０００７
【補正方法】変更
【補正の内容】
【０００７】
（１） 上記目的を達成するため、本発明の一態様である遊技機は、
所定条件の成立（例えば、大当り図柄や小当り図柄となる確定特別図柄の導出表示、大当り組合せや開放チャンス目となる確定飾り図柄の導出表示など、又は、ビッグボーナスやレギュラーボーナスやＡＲＴの当選など）に基づいて有利な有利状態（例えば、大当り遊技状態、小当り遊技状態、突確など）に制御可能である遊技機（例えば遊技機１やパチスロ機など）であって、有利状態に制御するか否かを決定する決定手段（例えばＣＰＵ１０３がステップＳ１１０にて特図表示結果を決定する処理など）と、前記決定手段による決定に基づいて、有利状態に制御される可能性（例えば期待度など）を報知する所定演出（例えば、図５等に示した「ノーマルリーチ」「スーパーリーチα」「スーパーリーチβ」など。図１０、図１１に示すように、大当り期待度の高さは「スーパーリーチβ」＞「スーパーリーチα」＞「ノーマルリーチ」である。）に対応する複数の選択肢（例えば、図６に示した「超吉」「大吉」「吉」「…」の４種類の選択肢。所定演出の対応関係は、図７、図１０、図１１に示す通りである。）を提示する提示手段（例えば演出制御用ＣＰＵ１２０がステップＳ６０２にて選択演出制御パターンを決定し、ステップＳ５３３にて当該選択演出制御パターンに基づいて選択肢の変動を開始させるための設定を行うことにより、画像表示装置５にて複数の選択肢を提示させる処理など）と、前記提示手段による複数の選択肢の提示後に、複数の選択肢を変動表示し、実行される所定演出に対応する選択肢を選択位置（最終的に選択される選択肢を停止させる位置。例えば、図２５に示す下側位置）に停止表示させることにより、一の選択肢を選択する選択手段（例えば演出制御用ＣＰＵ１２０がステップＳ６０２にて選択演出制御パターンを決定し、ステップＳ５３３にて当該選択演出制御パターンに基づいて選択肢の変動を開始させるための設定を行うことにより、画像表示装置５にて選択肢を変動表示し、選択位置に停止表示させる処理など）とを備え、前記提示手段により有利状態に制御される可能性が高いことを報知する所定演出に対応する選択肢が選択位置に提示されたときには、前記選択手段により有利状態に制御される可能性が特定の基準よりも高いことを報知する所定演出に対応する選択肢が選択位置に停止表示される（例えば、図６に示すように、選択位置に「超吉」が提示されたときには「大吉」「超吉」のうちの何れかが選択位置に停止表示される。また例えば、選択位置に「大吉」が提示されたときには「吉」「大吉」「超吉」のうちの何れかが選択位置に停止表示される。）ことを特徴とする。
このような構成によれば、遊技者の期待感を持続させることができる。
【手続補正６】
【補正対象書類名】明細書
【補正対象項目名】０００８
【補正方法】変更
【補正の内容】
【０００８】
（２）上記目的を達成するため、本発明の他の態様である遊技機は、
所定条件の成立（例えば、大当り図柄や小当り図柄となる確定特別図柄の導出表示、大当り組合せや開放チャンス目となる確定飾り図柄の導出表示など、又は、ビッグボーナスやレギュラーボーナスやＡＲＴの当選など）に基づいて有利な有利状態（例えば、大当り遊技状態、小当り遊技状態、突確など）に制御可能である遊技機（例えば遊技機１やパチスロ機など）であって、有利状態に制御するか否かを決定する決定手段（例えばＣＰＵ１０３がステップＳ１１０にて特図表示結果を決定する処理など）と、前記決定手段による決定に基づいて、有利状態に制御される可能性（例えば期待度など）を報知する所定演出（例えば、図５等に示した「ノーマルリーチ」「スーパーリーチα」「スーパーリーチβ」など。図１０、図１１に示すように、大当り期待度の高さは「スーパーリーチβ」＞「スーパーリーチα」＞「ノーマルリーチ」である。）に対応する複数の選択肢（例えば、図６に示した「超吉」「大吉」「吉」「…」の４種類の選択肢。所定演出の対応関係は、図７、図１０、図１１に示す通りである。）を提示する提示手段（例えば演出制御用ＣＰＵ１２０がステップＳ６０２にて選択演出制御パターンを決定し、ステップＳ５３３にて当該選択演出制御パターンに基づいて選択肢の変動を開始させるための設定を行うことにより、画像表示装置５にて選択枠を提示させる処理など）と、前記提示手段による複数の選択肢の提示後に、選択表示（例えば、図２９に示す選択枠など）を移動表示し、実行される所定演出に対応する選択肢の位置に選択表示を停止表示させることにより、一の選択肢を選択する選択手段（例えば演出制御用ＣＰＵ１２０がステップＳ６０２にて選択演出制御パターンを決定し、ステップＳ５３３にて当該選択演出制御パターンに基づいて選択肢の変動を開始させるための設定を行うことにより、画像表示装置５にて選択枠を移動表示し、一の選択肢の位置に停止表示させる処理など）とを備え、有利状態に制御される可能性が高いことを報知する所定演出に対応する選択肢の位置から選択表示の移動表示が開始されたときには、有利状態に制御される可能性が特定の基準よりも高いことを報知する所定演出に対応する選択肢の位置に選択表示が停止表示される（例えば、「超吉」の位置から選択表示の移動表示が開始されたときには「大吉」「超吉」のうちの何れかの位置に選択表示が停止表示される。また例えば、「大吉」の位置から選択表示の移動表示が開始されたときには「吉」「大吉」「超吉」のうちの何れかの位置に選択表示が停止表示される。）ことを特徴とする。ことを特徴とする。
このような構成によれば、遊技者の期待感を持続させることができる。
【手続補正７】
【補正対象書類名】明細書
【補正対象項目名】０００９
【補正方法】変更
【補正の内容】
【０００９】
（３）上記（１）の遊技機において、前記特定の基準は、何れの選択肢が選択位置に提示されたかに応じて異なるものであってもよい。
（４）上記（２）の遊技機において、前記特定の基準は、何れの選択肢の位置から選択表示の移動表示が開始されたかに応じて異なるものであってもよい。
例えば、図７、図１０、図１１に示す例では、スーパーリーチβが実行されるときは「吉」「大吉」「超吉」の何れかが選択位置に停止表示され、スーパーリーチαが実行されるときは「吉」「大吉」の何れかが選択位置に停止表示され、ノーマルリーチが実行されるときは「…」「吉」の何れかが選択位置に停止表示され、非リーチであるときには「…」が選択位置に停止表示される。つまり、「超吉」はスーパーリーチβに対応し、「大吉」はスーパーリーチα、βに対応し、「吉」はノーマルリーチ以上に対応し、「…」はノーマルリーチ以下に対応する。また、図６に示すように、「超吉」が選択位置に提示されるときには（「ＳＰ１」「ＳＰ２」であるときには）、「大吉」「超吉」のうちの何れかが選択位置に停止表示される。即ち、スーパーリーチβに対応する「超吉」が選択位置に提示されるときには、スーパーリーチβに対応する「超吉」、又は、スーパーリーチα、βに対応する「大吉」のうちの何れかが選択位置に停止表示される。つまり、「超吉」が選択位置に提示されるときは、ノーマルリーチよりも大当り信頼度が高い所定演出（スーパーリーチα、β）に対応する「大吉」「超吉」が停止表示される。以上から、「超吉」が選択位置に提示されるときの「特定の基準」はノーマルリーチの大当り信頼度である。また例えば、「大吉」が選択位置に提示されるときには（「ＳＰ３」〜「ＳＰ５」であるときには）、「吉」「大吉」「超吉」のうちの何れかが選択位置に停止表示される。即ち、スーパーリーチα、βに対応する「大吉」が選択位置に提示されるときには、スーパーリーチβに対応する「超吉」、スーパーリーチα、βに対応する「大吉」、又は、ノーマルリーチ以上に対応する「吉」のうちの何れかが選択位置に停止表示される。つまり、「大吉」が選択位置に提示されるときは、非リーチよりも大当り信頼度が高い所定演出（ノーマルリーチ、スーパーリーチα、β）に対応する「吉」「大吉」「超吉」が停止表示される。以上から、「大吉」が選択位置に提示されるときの「特定の基準」は非リーチの大当り信頼度である。
このような構成によれば、選択肢を好適に選択することができる。
【手続補正８】
【補正対象書類名】明細書
【補正対象項目名】００１０
【補正方法】変更
【補正の内容】
【００１０】
（５）上記（１）から（４）の何れかの遊技機において、
有利状態に制御される可能性が低いことを報知する所定演出に対応する選択肢（例えば、非リーチ又はノーマルリーチに対応する「…」など）を含む複数の選択肢が提示されたときには、有利状態に制御される可能性が前記特定の基準よりも高いことを報知する所定演出に対応する選択肢として、有利状態に制御される可能性が低いことを報知する所定演出以外の所定演出に対応する選択肢が選択されるようにしてもよい。
このような構成によれば、複数の選択肢の種類に遊技者を注目させることができ、興趣が向上する。
【手続補正９】
【補正対象書類名】明細書
【補正対象項目名】００１１
【補正方法】変更
【補正の内容】
【００１１】
（６）上記（１）、上記（１）に従属する上記（３）（５）の何れかの遊技機において、
前記選択手段は、選択肢の選択割合が異なる複数の変動態様（例えば右回り／左回り、低速回転／高速回転など）のうちの一の変動態様によって複数の選択肢を変動表示可能であり、有利状態に制御される可能性が高いことを報知する所定演出に対応する選択肢が選択位置に提示されたときには、有利状態に制御される可能性が前記特定の基準よりも高いことを報知する所定演出に対応する選択肢の選択割合が高い一の変動態様によって複数の選択肢が変動表示されるようにしてもよい。
このような構成によれば、選択肢の変動態様に遊技者を注目させることができ、興趣が向上する。
【手続補正１０】
【補正対象書類名】明細書
【補正対象項目名】００１２
【補正方法】変更
【補正の内容】
【００１２】
（７）上記（２）、上記（２）に従属する上記（４）（５）の何れかの遊技機において、
前記選択手段は、選択肢の選択割合が異なる複数の移動態様（例えば右回り／左回り、低速回転／高速回転など）のうちの一の移動態様によって選択表示を移動表示可能であり、有利状態に制御される可能性が高いことを報知する所定演出に対応する選択肢の位置から選択表示の移動表示が開始されたときには、有利状態に制御される可能性が前記特定の基準よりも高いことを報知する所定演出に対応する選択肢の選択割合が高い一の移動態様によって選択表示が移動表示されるようにしてもよい。
このような構成によれば、選択表示の移動態様に遊技者を注目させることができ、興趣が向上する。
【手続補正１１】
【補正対象書類名】明細書
【補正対象項目名】００１３
【補正方法】変更
【補正の内容】
【００１３】
（８）上記（１）から（７）の何れかの遊技機において、
有利状態に制御される可能性が高いことを報知する所定演出に対応する選択肢を含む複数の選択肢が提示されたときには、有利状態に制御される可能性が前記特定の基準よりも高いことを報知する所定演出に対応する選択肢が選択されるようにしてもよい。
このような構成によれば、複数の選択肢の種類に遊技者を注目させることができ、興趣が向上する。